(57)【要約】【課題】フレキシブルフラットケーブルを確実に保持して取付パネル等の被係止部材に固定するフレキシブルフラットケーブル取付装置を提供する。【解決手段】取付装置１１は、角形の樋状をなし略中央で底面１２ａ及び両側壁１２ｂが直角に段差をなすクランク形状のベース１２にクランク形状に段差をなして癖付けしたフレキシブルフラットケーブル１５を収納し、ベース１２に対応したクランク形状をなすカバー１３を装着してロック手段１２ｄ、１３ｄ、１２ｅ、１３ｆによりベース１２とカバー１３とを固定し、カバー１３の上面に設けられたクリップ１３ａを被係止部材６の取付孔６ａに押し込んで固定する。フレキシブルフラットケーブル５は、引っ張られたときに段差部５ｃがベース底面１２ａの段差部１２ａ’又はカバー１３の段差部１３ｇで係止されてズレが防止される。【選択図】      図１
2004166410.tif 000002
【特許請求の範囲】
【請求項１】
導体を複数並列に配置して可撓性部材により扁平に被覆したフレキシブルフラットケーブルを被係止部材に固定する取付装置であって、
角形の樋状をなし略中央で底面及び両側壁が直角に段差をなしてクランク形状に形成され、前記フレキシブルフラットケーブルの一部を収納するベースと、
前記ベースに対応したクランク形状をなし、前記ベースに装着されるカバーと、
前記ベースとカバーとに設けられてこれらを固定するロック手段と、
前記ベースの下面又はカバーの上面の何れか一方に設けられ、前記被係止部材に固定するクリップと
を備えたことを特徴するフレキシブルフラットケーブル取付装置。
【請求項２】
前記ベースは、側壁の間隔が前記フレキシブルフラットケーブルの幅よりも幅広とされ、前記側壁内面にリブが対向して複数箇所設けられ、これらの対向するリブ間に前記フレキシブルフラットケーブルが僅かな間隙を存して収納されることを特徴とする請求項１に記載のフレキシブルフラットケーブル取付装置。
【発明の詳細な説明】
【０００１】
【発明の属する技術分野】
本発明は、フレキシブルフラットケーブルを保持すると共に車体等に固定するためのフレキシブルフラットケーブル取付装置に関する。
【０００２】
【従来の技術】
自動車のワイヤハーネスとして可撓性の帯状ケーブル（フレキシブル・フラット・ケーブル（ＦＦＣ）、以下「フラットケーブル」という）が使用されてきている。このフラットケーブルは、断面平角の導体を複数並列に配置して可撓性部材により扁平に被覆して形成されている。このフラットケーブルを車体等に固定するための取付装置として例えば、図４に示す取付装置がある。この取付装置１は、可撓性を有する合成樹脂部材からなるコ字状の外側に彎曲する基部１ａの中央に取付パネルに装着するためのクリップ１ｂを外側に向けて設け、基部１ａの両端に内側に向けてフラットケーブル５の幅よりも僅かに狭い間隔に設定された挟持部１ｃ、１ｃの先端内側に係止爪１ｄ、１ｄを設けたものがある。この取付装置１は、図５に示すようにクリップ１ｂを取付パネル４の取付孔４ａに押し込んで固定し、挟持部１ｃ、１ｃ間にフラットケーブル５を内側に彎曲させて１枚乃至複数枚挟持し、当該フラットケーブル５の弾性力により外側に彎曲する基部１ａを取付パネル４に圧接させ、取付パネル４にフラットケーブル５を取り付けるようにしている（特許文献１参照）。
【０００３】
或いは、図６に示すような取付装置がある。この取付装置２は、可撓性の合成樹脂部材から成り、倒コ字形状の架橋部２ａの両側部２ｂ、２ｂ先端より外方に屈折した係止座２ｃ、２ｃを設け、中央部を押さえ部、両端部を差し込み部とし、架橋部２ａの上面中央にクリップ２ｄを設けたもので、フラットケーブル５の導体が位置しない両側５ａに穿設した孔５ｂ、５ｂに係止座２ｃの差し込み部を撓ませて点線のように差し込んで裏面側に係止し、表面側を押さえ部により押さえるようにして挟持し、クリップ２ｄを取付パネルの取付孔に押し込んで係止するようにしたものである（特許文献２参照）。
【０００４】
【特許文献１】
特開平７−２３１５３９号公報
【特許文献２】
特開２００２―５８１２６号公報
【０００５】
【発明が解決しようとする課題】
上記図４に示す取付装置１は、樹脂部材の剛性や変形と、フラットケーブル５を１枚挟持した場合の剛性と、複数枚挟持した場合の剛性との違い等により、挟持部１ｃ、１ｃの内側に係止爪１ｄ、１ｄを設けていても保持状態が不安定であり、フラットケーブル５が位置ずれしたり、場合によっては挟持部１ｃから外れる虞がある。
【０００６】
また、図６に示す取付装置２は、フラットケーブル５の両側部５ａに取付用の孔５ｂを穿設するためにフラットケーブル５の幅を広くすることが必要であり、フラットケーブル５の大型化やコストが高くなる。また、フラットケーブル５を確実に固定することが困難であり、特に複数枚重ねた場合には保持が不安定になり、差し込み部から外れる虞がある等の問題がある。
【０００７】
本発明は、上述の点に鑑みてなされたもので、フレキシブルフラットケーブルを確実に保持して取付パネル等の被係止部材に固定するフレキシブルフラットケーブル取付装置を提供することを目的とする。
【０００８】
【課題を解決するための手段】
上記目的を達成するために、請求項１の発明では、導体を複数並列に配置して可撓性部材により扁平に被覆したフレキシブルフラットケーブルを被係止部材に固定する取付装置であって、角形の樋状をなし略中央で底面及び両側壁が直角に段差をなしてクランク形状に形成され、前記フレキシブルフラットケーブルの一部を収納するベースと、前記ベースに対応したクランク形状をなし、前記ベースに装着されるカバーと、前記ベースとカバーとに設けられてこれらを固定するロック手段と、前記ベースの下面又はカバーの上面の何れか一方に設けられ、前記被係止部材に固定するクリップとを備えたことを特徴する。
【０００９】
取付装置は、角形の樋状をなすクランク形状のベースに前記クランク形状に段差をなして癖付けされたフレキシブルフラットケーブルを収納してカバーを装着し、これら両者をロック手段により固定し、クリップを被係止部材の取付孔に押し込んで固定する。ベース、カバー及びフレキシブルフラットケーブルは、クランク形状をなしていることで、フレキシブルフラットケーブルが引っ張られたときに当該フレキシブルケーブルの段差部がベース底面又はカバーの段差部で係止されて移動（ズレ）が阻止される。これにより、フレキシブルフラットケーブルを被係止部材に確実に固定することができる。
【００１０】
請求項２の発明では、前記ベースは、側壁の間隔が前記フレキシブルフラットケーブルの幅よりも幅広とされ、側壁内面にリブが対向して複数箇所設けられ、これらの対向するリブ間に前記フレキシブルフラットケーブルが僅かな間隙を存して収納されることを特徴とする。
取付装置は、ベースの側壁間隔がフレキシブルフラットケーブルよりも幅広とされていることでベースへのケーブルの収納が容易となり、且つ側壁内面に対向して設けられたリブ間に僅かな間隙を存して収納することで、ガタツキが防止される。
【００１１】
【発明の実施の形態】
以下本発明の実施の態様を実施例により説明する。
図１は、本願発明を適用したフレキシブルフラットケーブル取付装置の実施例１の組立斜視図である。フレキシブルフラットケーブル取付装置（以下単に「ケーブル取付装置」という）１１は、クランク形状のベース１２とカバー１３とから成り、ベース１２は、底面１２ａ及び両側壁１２ｂが略中央で直角に段差をなして折曲されて角型の樋をクランク形状に折り曲げた形状をなしている。ベース１２の両側壁１２ｂの一側（図中上段側）外面上部略中央にロック手段としての係止爪１２ｄ（一側のみ図示）が突設されており、他側（図中下段側）外面下部前側寄りの位置にロック手段としての係合凹部１２ｅが設けられている。
【００１２】
ベース２の両側面１２ｂ、１２ｂ間の間隔は、収納固定するフラットケーブル５の幅よりも僅かに広く例えば、フラットケーブル幅×１０５％程度とされており、深さは、フラットケーブル５の収納枚数よりも僅かに深い例えば、フラットケーブルの厚み×収納枚数×１１０％程度とされている。これにより、ベース１２内にフラットケーブル５を容易に、且つガタ付くことなく収納することが可能となる。このベース１２は、プラスチック等の合成樹脂部材により一体に形成されている。
【００１３】
カバー１３は、ベース１２に対応して略中央で直角に段差をなして折曲されてクランク形状をなし、一側（図中上段側）上面略中央に取付パネルに固定するためのクリップ１３ａが突設されており、その回りにスタビライザ１３ｃが設けられている。この一側両縁部略中央に下方に延出する側板に角孔が設けられてベース１２の係止爪１２ｄと係合するロック手段としての係合凹部１３ｄが設けられている。カバー１３の他側（図中下段側）の両縁部には側壁１３ｅ、１３ｅが垂設されてベース１２の対応する側壁１２ｂ、１２ｂの外側に装着可能とされている。そして、これら両側壁の内面にベース１２の係合凹部１２ｅと係合するロック手段としての係止爪１３ｆが突設されている。このカバー１３は、ベース１２と同様プラスチック等の合成樹脂部材により一体に形成されている。
【００１４】
また、このケーブル取付装置１１に収納固定すべきフラットケーブル５は、ベース１２のクランク形状に合わせて直角に段差部５ｃをなして折曲されてクランク形状に癖付けされている。
以下に組み付け手順を説明する。
図１に示すようにベース１２内にクランク形状に合わせて癖付けされたフラットケーブル５を所定枚数例えば、３枚重ねて収納し、カバー１３を装着して上部開口を塞ぎ、一側の係合凹部１３ｄをベース１２の対応する係止爪１２ｄに係合して固定し、他側の側壁１３ｅ内面の係止爪１３ｆをベース１２の対応する係合凹部１２ｅに係合して固定する。これにより、カバー１３がベース１２に確実に装着固定される。
【００１５】
ベース１２は、その幅がフラットケーブル５の幅よりも僅かに広く、その深さが３枚のフラットケーブルの厚みよりも僅かに深く設定されていることで、これら３枚のフラットケーブル５は、取付装置１１に容易に、且つガタ付くことなく収納することができる。また、フラットケーブル５がベース１２の底面１２ａのクランク形状に応じた段差部５ｃをなしてクランク形状に癖付けされていることで、当該ケーブル取付装置１１内に無理なく収納され、且つ段差部５ｃがベース１２の底面１２ａの段差部１２ａ’又はカバー１３の段差部１３ｇにより引張方向に係止されて移動（ズレ）が阻止される。これにより、ケーブル取付装置１１は、フラットケーブル５を確実に保持することができる。
【００１６】
このケーブル取付装置１１は、図２に示すようにカバー１３の一側上面に設けたクリップ１３ａを被係止部材としての車体等の取付パネル６の取付孔６ａに押し込み、スタビライザ１３ｃの上面を取付パネルの一側面に押し付ける。これに伴いクリップ１３ａの両側の係止爪１３ｂが弾性により拡開して先端面が取付パネル６の取付孔６ａの他側面周縁部に係止される。これにより、取付パネル６にフラットケーブル５を確実に固定することができる。
【００１７】
図３は、本願発明を適用したフレキシブルフラットケーブル取付装置の実施例２の組立斜視図である。尚、図３において図１に示すケーブル取付装置の同一部材には同一の符号を付して説明を省略する。
図３に示すようにケーブル取付装置１１のベース１２は、両側壁１２ｂの一側（図中上段側）の間隔がフラットケーブル５の幅よりも広く、例えば、フラットケーブル幅×１１０％程度に設定されており、内面の後部及び段差部近傍にリブ１２ｇが底面１２ａから側壁上端まで突設されている。そして、対向するリブ１２ｇの間隔は、フラットケーブル５の幅よりも僅かに広く（例えば、フラットケーブル幅×１０５％程度）設定されており、内側面先端１２ｈが面取りされている。これにより、フラットケーブル５のベース１２への収納が容易とされている。
【００１８】
ベース１２の底面１２ａには他側（図中下段側）の所定位置例えば、中央より段差部近傍位置に孔１２ｉが設けられている。また、カバー１３の他側（図中下段側）の所定位置例えば、段差部近傍位置にも孔１３ｉが設けられている。これらの孔１２ｉ、１３ｉは、他の部品を取り付けるための取付孔とされている。これにより、フラットケーブル５と同時に他の部品例えば、チューブ、グロメット等の外装部品（図示せず）を車体等の取付パネルに固定することができ、作業性の向上が図られる。
【００１９】
尚、上記各実施例において、カバー１３側にクリップ１３ａを設けたが、これに限るものではなく、ベース１２側に設けてもよい。
【００２０】
【発明の効果】
以上説明したように本発明によれば、ベース、カバー及びフレキシブルフラットケーブルは、クランク形状をなしていることで、フレキシブルフラットケーブルが引っ張られたときにベース底面の段差部又はカバーの段差部で係止されて移動が阻止され、前記フレキシブルフラットケーブルを被係止部材に確実に固定することができる。
【００２１】
請求項２の発明では、ベースの側壁間隔がフレキシブルフラットケーブルよりも幅広とされていることでベースへのケーブルの収納が容易となり、且つ側壁内面に対向して設けられたリブ間に僅かな間隙を存して収納することで、ガタツキが防止される。
【図面の簡単な説明】
【図１】本発明を適用したフレキシブルケーブル取付装置の実施例１の組立斜視図である。
【図２】図１に示すフレキシブルケーブル取付装置を組み付けて取付パネルに固定した状態の断面図である。
【図３】本発明を適用したフレキシブルケーブル取付装置の実施例２の組立斜視図である。
【図４】従来のフラットケーブル取付装置とフラットケーブルの一例を示す斜視図である。
【図５】図４のフラットケーブル取付装置にフラットケーブルを装着して取付パネルに固定した状態の断面図である。
【図６】従来のフラットケーブル取付装置の他の例を示す斜視図である。
【符号の説明】
５  フレキシブルフラットケーブル
５ｃ  段差部
１１  ケーブル取付装置
１２  ベース
１２ａ  底面
１２ａ’    段差部
１３  カバー
１３ａ  クリップ
１３ｇ  段差部
１２ｄ、１３ｅ  係止爪（ロック手段）
１２ｅ、１３ｆ  係合凹部（ロック手段）
１２ｉ、１３ｉ  取付孔
【図１】
2004166410.tif 000003
【図２】
2004166410.tif 000004
【図３】
2004166410.tif 000005
【図４】
2004166410.tif 000006
【図５】
2004166410.tif 000007
【図６】
2004166410.tif 000008